(57)【要約】【課題】硬貨識別装置及び現金処理装置を提供する。【解決手段】硬貨が搬送される搬送面が形成された搬送路と、前記搬送面に対向して配置され、前記硬貨を搬送する搬送ベルトと、前記搬送路を挟んで互いに対向し、前記搬送路上の硬貨の特徴を検出する第１のセンサ、及び第２のセンサと、前記第１のセンサが固定される第１のフレームと、前記第２のセンサが固定される第２のフレームと、を備え、前記第１のフレームは、前記第１のセンサを突き当てる第１の突き当て面が形成された第１の凹部を有し、前記第２のフレームは、前記第２のセンサを突き当てる第２の突き当て面が形成された第２の凹部を有する、硬貨識別装置。【選択図】図４
2018136779.tif 000002
【特許請求の範囲】
【請求項１】
硬貨が搬送される搬送面が形成された搬送路と、
前記搬送面に対向して配置され、前記硬貨を搬送する搬送ベルトと、
前記搬送路を挟んで互いに対向し、前記搬送路上の硬貨の特徴を検出する第１のセンサ、及び第２のセンサと、
前記第１のセンサが固定される第１のフレームと、
前記第２のセンサが固定される第２のフレームと、
を備え、
前記第１のフレームは、前記第１のセンサを突き当てる第１の突き当て面が形成された第１の凹部を有し、
前記第２のフレームは、前記第２のセンサを突き当てる第２の突き当て面が形成された第２の凹部を有する、硬貨識別装置。
【請求項２】
前記第１のセンサは前記第１の突き当て面に接して固定され、
前記第２のセンサは前記第２の突き当て面に接して固定される、請求項１に記載の硬貨識別装置。
【請求項３】
前記第１のフレームは、前記第１の突き当て面から離間する方向に延設され、前記第１のセンサの基板が固定される第１の基板取付面をさらに有し、
前記第２のフレームは、前記第２の突き当て面から離間する方向に延設され、前記第２のセンサの基板が固定される第２の基板取付面をさらに有する、請求項１または２に記載の硬貨識別装置。
【請求項４】
前記第１の突き当て面と前記第１の基板取付面との間の距離は、前記第１のセンサの高さよりも大きく、
前記第２の突き当て面と前記第２の基板取付面との間の距離は、前記第２のセンサの高さよりも大きい、請求項３に記載の硬貨識別装置。
【請求項５】
前記第１のフレームと前記第２のフレームは、一体に形成された１つのフレーム体である、請求項１〜４のいずれか一項に記載の硬貨識別装置。
【請求項６】
硬貨が搬送される搬送面が形成された搬送路と、
前記搬送面に対向して配置され、前記硬貨を搬送する搬送ベルトと、
前記搬送路を挟んで互いに対向し、前記搬送路上の硬貨の特徴を検出する第１のセンサ、及び第２のセンサと、
前記第１のセンサが固定される第１のフレームと、
前記第２のセンサが固定される第２のフレームと、
を含む、硬貨識別装置を備え、
前記第１のフレームは、前記第１のセンサを突き当てる第１の突き当て面が形成された第１の凹部を有し、
前記第２のフレームは、前記第２のセンサを突き当てる第２の突き当て面が形成された第２の凹部を有する、現金処理装置。
【発明の詳細な説明】
【技術分野】
【０００１】
本発明は、硬貨識別装置及び現金処理装置に関する。
【背景技術】
【０００２】
硬貨識別装置は、例えばスーパーマーケット、コンビニエンスストア等のレジ精算場に設置される釣銭機（現金処理装置の一例）において、硬貨の種類や真偽を識別する装置である。
【０００３】
硬貨識別装置として、例えば下記特許文献１に記載されるものがある。下記特許文献１に記載の硬貨識別装置は、硬貨が搬送ベルトにより搬送される搬送路と、搬送される硬貨の大きさ、材質、材厚等を検出するセンサを有し、硬貨の種類や真偽を識別する。
【先行技術文献】
【特許文献】
【０００４】
【特許文献１】特開２０１３−１０９４５２号公報
【発明の概要】
【発明が解決しようとする課題】
【０００５】
上述した硬貨識別装置が有するセンサの出力は、硬貨と当該センサとの距離に応じて変化するため、識別精度を向上させるためには、センサが高精度に取り付けられていることが望ましい。
【０００６】
そこで、本発明は、上記問題に鑑みてなされたものであり、本発明の目的とするところは、センサがより高精度に取り付けられた、新規かつ改良された硬貨識別装置及び現金処理装置を提供することにある。
【課題を解決するための手段】
【０００７】
上記課題を解決するために、本発明のある観点によれば、硬貨が搬送される搬送面が形成された搬送路と、前記搬送面に対向して配置され、前記硬貨を搬送する搬送ベルトと、前記搬送路を挟んで互いに対向し、前記搬送路上の硬貨の特徴を検出する第１のセンサ、及び第２のセンサと、前記第１のセンサが固定される第１のフレームと、前記第２のセンサが固定される第２のフレームと、を備え、前記第１のフレームは、前記第１のセンサを突き当てる第１の突き当て面が形成された第１の凹部を有し、前記第２のフレームは、前記第２のセンサを突き当てる第２の突き当て面が形成された第２の凹部を有する、硬貨識別装置が提供される。
【０００８】
前記第１のセンサは前記第１の突き当て面に接して固定され、前記第２のセンサは前記第２の突き当て面に接して固定されてもよい。
【０００９】
また、前記第１のフレームは、前記第１の突き当て面から離間する方向に延設され、前記第１のセンサの基板が固定される第１の基板取付面をさらに有し、前記第２のフレームは、前記第２の突き当て面から離間する方向に延設され、前記第２のセンサの基板が固定される第２の基板取付面をさらに有してもよい。
【００１０】
また、前記第１の突き当て面と前記第１の基板取付面との間の距離は、前記第１のセンサの高さよりも大きく、前記第２の突き当て面と前記第２の基板取付面との間の距離は、前記第２のセンサの高さよりも大きくてもよい。
【００１１】
また、前記第１のフレームと前記第２のフレームは、一体に形成された１つのフレーム体であってもよい。
【００１２】
また、上記課題を解決するために、本発明の別の観点によれば、硬貨が搬送される搬送面が形成された搬送路と、前記搬送面に対向して配置され、前記硬貨を搬送する搬送ベルトと、前記搬送路を挟んで互いに対向し、前記搬送路上の硬貨の特徴を検出する第１のセンサ、及び第２のセンサと、前記第１のセンサが固定される第１のフレームと、前記第２のセンサが固定される第２のフレームと、を含む、硬貨識別装置を備え、前記第１のフレームは、前記第１のセンサを突き当てる第１の突き当て面が形成された第１の凹部を有し、前記第２のフレームは、前記第２のセンサを突き当てる第２の突き当て面が形成された第２の凹部を有する、現金処理装置が提供される。
【発明の効果】
【００１３】
以上説明したように本発明によれば、センサがより高精度に取り付けられた硬貨識別装置及び現金処理装置が提供される。
【図面の簡単な説明】
【００１４】
【図１】本発明の一実施形態による釣銭機１の外観構成を示した説明図である。
【図２】同実施形態に係る硬貨釣銭機３の機構を示す概略側面図である。
【図３】同実施形態に係る釣銭機１が有する硬貨識別装置１００の外観を示す斜視図である。
【図４】Ａ−Ａ線に沿った硬貨識別装置１００の断面図である。
【図５】第１の硬貨検出センサ１２２の取り付け方法、及び第１のセンサ内蔵部１３２の構成について詳細に説明するために説明図である。
【図６】変形例１に係る第１のセンサ内蔵部１３３、及び第２のセンサ内蔵部１３５の構成を示す断面図である。
【図７】同変形例に係る第１のセンサ内蔵部１３３、及び第２のセンサ内蔵部１３５に対するセンサの取り付けを説明するための説明図である。
【図８】同変形例に係る硬貨識別装置１００−２の構成を示す断面図である。
【図９】押圧部材を用いたセンサの取り付け方法を説明するための説明図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜＜１．基本構成＞＞
本発明の一実施形態による釣銭機（現金処理装置の一例）は、例えばスーパーマーケット、コンビニエンスストア等のレジ精算場に設置され、ＰＯＳレジスタ等に接続されて入出金処理を行う。以下では、まずこのような本発明の一実施形態による釣銭機の基本構成について、図１、図２を参照して説明する。
【００１７】
図１は、本実施形態による釣銭機１の外観構成を示した説明図である。本実施形態による釣銭機１は、図１に示すように、紙幣釣銭機２と硬貨釣銭機３で構成され、ＰＯＳレジスタ４と接続される。また、図１に示すように、釣銭機１は、装置正面左側に入金口５、出金口６、リジェクト部７が設けられ、装置正面右側に、操作表示部９、回収カセット部１９、紙幣入出金口２０が設けられている。
【００１８】
入金口５は、レジ担当の係員が顧客から受け取った硬貨が投入される投入口である。出金口６は、顧客へ釣銭として支払う硬貨を払い出す受取口である。
【００１９】
リジェクト部７は、受け入れ不能と判別された（リジェクトされた）硬貨を収納する。リジェクト部７は、図１に示すようにリジェクト扉３３を有し、リジェクト扉３３を開くと、リジェクトされた硬貨を保管するリジェクト収納部（不図示）が開放される構造になっている。また、リジェクト扉３３の上部には錠３４が設けられ、錠３４を施錠することで、リジェクト扉３３が開かないように設定することができる。
【００２０】
操作表示部９は、レジ担当の係員が入力に用いるキー等の操作部９１と、係員が入力した内容や装置の情報等を表示する表示部９２を有する。
【００２１】
回収カセット部１９は、紙幣釣銭機２の内部に収納された紙幣を回収し、収納するための紙幣カセットである。紙幣入出金口２０は、顧客から受け取った紙幣を入金し、顧客へ釣銭として支払う紙幣を払い出す入出金口である。
【００２２】
図２は、硬貨釣銭機３の機構を示す概略側面図である。図２に示すように、硬貨釣銭機３は、顧客から受け取った入金硬貨を入金する入金口５と、入金口５に設けられたセンサ３１と、釣銭硬貨を出金するための出金口６と、入金した硬貨を金種毎に収納する１円ホッパー２１、５０円ホッパー２２、５円ホッパー２３、１００円ホッパー２４、１０円ホッパー２５、５００円ホッパー２６と、入金した硬貨の金種、真偽等を判別する硬貨識別装置１００と、硬貨識別装置１００を配置した入金搬送路２８と、リジェクト収納部２９および出金搬送路３０を有する。また、入金搬送路２８と出金搬送路３０はモータ３２により駆動される。
【００２３】
以上、本発明の一実施形態による釣銭機１（現金処理装置の一例）について説明した。続いて、釣銭機１が有する硬貨識別装置１００について説明する。
【００２４】
＜＜２．硬貨識別装置＞＞
まず、図３は、釣銭機１が有する硬貨識別装置１００の外観を示す斜視図である。図４は、図３のＡ−Ａ線に沿った硬貨識別装置１００の断面図である。
【００２５】
図３、図４に示すように、硬貨識別装置１００は、搬送路１０２と、搬送部材の一例である搬送ベルト１０４と、ガイド部１１２と、規制部１１４、第１の硬貨検出センサ１２２、及び第２の硬貨検出センサ１２４とを有する。
【００２６】
搬送路１０２は、硬貨Ｃが搬送方向に搬送される搬送面１０３を有する。搬送ベルト１０４は、搬送面１０３とで硬貨Ｃを挟んだ状態で、回転することにより硬貨Ｃを搬送方向に搬送する。
【００２７】
ガイド部１１２は、搬送ベルト１０４に沿って設けられ、搬送ベルト１０４により搬送される硬貨Ｃをガイドするガイド面１１３を有する。搬送ベルト１０４は、硬貨Ｃをガイド面１１３に片寄せしながら搬送方向に搬送する。
【００２８】
規制部１１４は、搬送方向と直交する方向（図３に示すＸ方向）において、搬送ベルト１０４から見てガイド部１１２の反対側に搬送ベルト１０４に沿って設けられている。規制部１１４は、搬送中の硬貨Ｃに接触して硬貨の移動を規制する規制面１１５を有する。これにより、硬貨Ｃが搬送路１０２から外れて飛散することを防止できる。
【００２９】
第１の硬貨検出センサ１２２（第１のセンサ）、及び第２の硬貨検出センサ１２４(第２のセンサ)は、搬送面１０３上を搬送される硬貨Ｃの特徴を検出するためのセンサである。例えば、第１の硬貨検出センサ１２２、及び第２の硬貨検出センサ１２は、検出領域Ｓを通過する硬貨Ｃの直径または半径、硬貨Ｃの材質、硬貨Ｃの厚み、硬貨Ｃの表面の凹凸の状態、孔の有無等を検出する。
【００３０】
第１の硬貨検出センサ１２２は、搬送面１０３よりも上方に位置し、第２の硬貨検出センサ１２４は、搬送面１０３よりも下方に位置する。また、第１の硬貨検出センサ１２２及び第２の硬貨検出センサ１２４は、搬送路１０２を挟んで互いに対向し、すなわち図３のＹ方向及びＸ方向において同じ位置に位置する。そして、第１の硬貨検出センサ１２２、及び第２の硬貨検出センサ１２４は、搬送面１０３の所定の検出領域Ｓを通過する硬貨Ｃの種類を検出する。
【００３１】
第１の硬貨検出センサ１２２、及び第２の硬貨検出センサ１２４は、ここでは磁気により硬貨の種類（特徴）を検出する磁気センサである。しかし、係る例に限定されず、第１の硬貨検出センサ１２２、及び第２の硬貨検出センサ１２４は、例えば光学センサであっても良い。また、上記では、２つの第１の硬貨検出センサ１２２、及び第２の硬貨検出センサ１２４を設けたが、一つの硬貨検出センサ（例えば第１の硬貨検出センサ１２２）のみを設けても良い。
【００３２】
第１の硬貨検出センサ１２２、及び第２の硬貨検出センサ１２４は、それぞれ基板１５２、及び基板１５４に半田付けされる。以下では、基板１５２を、第１の硬貨検出センサ１２２の基板と呼び、基板１５４を、第２の硬貨検出センサ１２４の基板と呼ぶ場合がある。
【００３３】
固定部１３０は、第１の硬貨検出センサ１２２、及び第２の硬貨検出センサ１２４を内蔵するフレームである。固定部１３０は、搬送面１０３の上方に位置し第１の硬貨検出センサ１２２を内蔵する第１のセンサ内蔵部１３２と、搬送面１０３の下方に位置し第２の硬貨検出センサ１２４を内蔵する第２のセンサ内蔵部１３４とを有する。本実施形態において、第１のセンサ内蔵部１３２（第１のフレーム）と第２のセンサ内蔵部１３４（第２のフレーム）は、一体に形成された１つのフレーム体である。
【００３４】
固定部１３０を搬送方向の上流側から見た場合の断面形状は、図４に示すように逆コの字形状である。なお、固定部１３０を搬送方向の下流側から見た場合の断面形状は、コの字形状である。すなわち、固定部１３０は、搬送面１０３を上下から挟むように設けられている。
【００３５】
固定部１３０に取り付けられた第１の硬貨検出センサ１２２、及び第２の硬貨検出センサ１２４の出力は、搬送面１０３上を搬送される硬貨と第１の硬貨検出センサ１２２、及び第２の硬貨検出センサ１２４との距離に応じて変化し得る。したがって、第１の硬貨検出センサ１２２、及び第２の硬貨検出センサ１２４は、固定部１３０に高精度に（例えば検出領域Ｓを通過する硬貨Ｃとの距離が設計された距離となるように）取り付けられることが望ましい。
【００３６】
しかし、予め基板１５２、及び基板１５４に半田付けされた状態で第１の硬貨検出センサ１２２、及び第２の硬貨検出センサ１２４を固定部１３０に取り付ける場合、第１の硬貨検出センサ１２２、及び第２の硬貨検出センサ１２４と、固定部１３０との位置関係が一定にならない場合がある。
【００３７】
そこで、本実施形態に係る固定部１３０は、図４に示すように第１の硬貨検出センサ１２２、及び第２の硬貨検出センサ１２４を突き当てる第１の突き当て面１４２ａ、及び第２の突き当て面１４４ａが形成された第１の凹部１４２、及び第２の凹部１４４を有する。係る構成により、高精度にセンサを取り付けることが可能である。
【００３８】
以下、図５を参照して本実施形態に係るセンサの取り付け方法（硬貨識別装置１００の製造方法）、及び高精度にセンサを取り付けるための固定部１３０の構成について、より詳細に説明する。
【００３９】
図５は、第１の硬貨検出センサ１２２の取り付け方法、及び第１のセンサ内蔵部１３２の構成について詳細に説明するために説明図である。図５に示すように、第１のセンサ内蔵部１３２は、第１の突き当て面１４２ａが形成された第１の凹部１４２と、第１の突き当て面１４２ａから離間する方向に延設された第１の基板取付面１４６とを有する。
【００４０】
第１の硬貨検出センサ１２２が第１の突き当て面１４２ａに突き当てられた（接した）状態で、第１の硬貨検出センサ１２２の配線１２５と基板１５２とが半田付け（固定）される。さらに、第１の硬貨検出センサ１２２が第１の突き当て面１４２ａに突き当てられた状態で、第１の硬貨検出センサ１２２の基板１５２が第１の基板取付面１４６に固定される。
【００４１】
係る構成により、高精度に第１の硬貨検出センサ１２２を取り付けることが可能となる。すなわち、第１の硬貨検出センサ１２２が取り付けられた硬貨識別装置１００において、第１の硬貨検出センサ１２２は第１の突き当て面１４２ａに接して固定され（取り付けられ）る。その結果、硬貨の識別精度が向上する。
【００４２】
また、図５に示すように、第１の硬貨検出センサ１２２の高さＤ１よりも、第１の突き当て面１４２ａと第１の基板取付面１４６との間の距離Ｄ２が大きくなるように、第１のセンサ内蔵部１３２が形成されることが望ましい。係る構成により、高さ方向の誤差を吸収する隙間が生じ、第１の突き当て面１４２ａに突き当てた状態で第１の硬貨検出センサ１２２を、容易に取り付けることが可能である。
【００４３】
また、図５に示すように、第１の突き当て面１４２ａに第１の硬貨検出センサ１２２を配置した状態で、第１の突き当て面１４２ａを挟んで第１の硬貨検出センサ１２２と対向するように磁石Ｍ１を第１のセンサ内蔵部１３２の内側（固定部１３０の逆コの字の内側）に配置してもよい。このように磁石Ｍ１を用いることで、磁力により、第１の硬貨検出センサ１２２を第１の突き当て面１４２ａに容易に突き当てることが可能である。また、配線１２５と基板１５２とを半田付けする際と、基板１５２を第１の基板取付面１４６に固定する際に、第１の硬貨検出センサ１２２が第１の突き当て面１４２ａから離隔し難くなり、より高精度に第１の硬貨検出センサ１２２を取り付けることが可能となる。なお、基板１５２を第１の基板取付面１４６に固定した後、磁石Ｍ１は取り外される。
【００４４】
なお、上記では図５を参照して第１の硬貨検出センサ１２２の取り付け方法について説明したが、第２の硬貨検出センサ１２４の取り付け方法も同様である。第２のセンサ内蔵部１３４も、第１のセンサ内蔵部１３２と同様に、図４に示すように第２の突き当て面１４４ａが形成された第２の凹部１４４と、第２の突き当て面１４４ａから離間する方向に延設され、基板１５４が固定される第２の基板取付面１４８とを有する。また、第２の硬貨検出センサ１２４が取り付けられた硬貨識別装置１００において、第２の硬貨検出センサ１２４は第２の突き当て面１４４ａに接して固定され（取り付けられ）る。その結果、硬貨の識別精度が向上する。
【００４５】
＜＜３．変形例＞＞
以上、本発明の一実施形態を説明した。以下では、上記実施形態の幾つかの変形例を説明する。なお、以下に説明する各変形例は、単独で上記実施形態に適用されてもよいし、組み合わせで上記実施形態に適用されてもよい。また、各変形例は、上記実施形態で説明した構成に代えて適用されてもよいし、上記実施形態で説明した構成に対して追加的に適用されてもよい。
【００４６】
（変形例１)
上記では、第１のセンサ内蔵部と第２のセンサ内蔵部が、固定部(フレーム)として一体に形成される例を説明したが、本発明は係る例に限定されない。例えば、第１のセンサ内蔵部と第２のセンサ内蔵部とは別々に形成されてもよい。例えば、図５を参照して説明したように、磁石を用いてセンサを取り付ける場合、第１のセンサ内蔵部と第２のセンサ内蔵部が分離している方がセンサの取り付け作業が容易になる場合がある。
【００４７】
そこで、以下では、変形例１として、第１のセンサ内蔵部と第２のセンサ内蔵部とが別々に形成され、センサの取り付け後に第１のセンサ内蔵部に第２のセンサ内蔵部が固定される例について、図６〜図８を参照して説明する。なお、以下に説明する図６〜図８に示す各構成のうち、図３、図４に示した各構成と実質的に同様の構成については同一の符号を付してあるため、適宜省略しながら説明を行う。
【００４８】
図６は、別々に形成された第１のセンサ内蔵部１３３（第１のフレーム）、及び第２のセンサ内蔵部１３５（第２のフレーム）の構成を示す断面図である。
【００４９】
図６に示すように、第１のセンサ内蔵部１３３は、第１の突き当て面１４２ａが形成された第１の凹部１４２と、第１の突き当て面１４２ａから離間する方向に延設された第１の基板取付面１４６とを有する。また、第２のセンサ内蔵部１３５は、第２の突き当て面１４４ａが形成された第２の凹部１４４と、第２の突き当て面１４４ａから離間する方向に延設された第２の基板取付面１４８とを有する。
【００５０】
ここで、上記実施形態で説明したように、第１のセンサ内蔵部と第２のセンサ内蔵部が一体に形成されていた場合、センサの取り付けにおいて磁石が配置される空間の高さ（図６に示す高さＤ３）より、高さが小さい磁石を用いる必要がある。
【００５１】
図７は、第１のセンサ内蔵部１３３、及び第２のセンサ内蔵部１３５に対するセンサの取り付けを説明するための説明図である。図７に示すように、本変形例では第１のセンサ内蔵部１３３、及び第２のセンサ内蔵部１３５が別々に形成されて分離可能であるため、磁石Ｍ２の高さＤ４が図６に示す高さＤ３より大きい場合であっても、磁石Ｍ２を用いてセンサの取り付けが可能となる。
【００５２】
図７に示すように、第１の突き当て面１４２ａに第１の硬貨検出センサ１２２（第１のセンサ）を配置した状態で、第１の突き当て面１４２ａを挟んで第１の硬貨検出センサ１２２と対向するように磁石Ｍ２を第１のセンサ内蔵部１３３の逆コの字の内側に配置する。係る配置にすることで、第１の硬貨検出センサ１２２が磁力により第１の突き当て面１４２ａに突き当てられる。
【００５３】
また、第１の硬貨検出センサ１２２が第１の突き当て面１４２ａに突き当てられた状態で、第１の硬貨検出センサ１２２と基板１５２とが半田付け（固定）される。さらに、第１の硬貨検出センサ１２２が第１の突き当て面１４２ａに突き当てられた状態で、第１の硬貨検出センサ１２２の基板１５２が第１の基板取付面１４６に固定される。
【００５４】
同様に、第２の突き当て面１４４ａに第２の硬貨検出センサ１２４（第２のセンサ）を配置した状態で、第２の突き当て面１４４ａを挟んで第２の硬貨検出センサ１２４と対向するように磁石Ｍ２を検出領域Ｓ上に配置する。係る配置にすることで、第２の硬貨検出センサ１２４が磁力により第２の突き当て面１４４ａに突き当てられる
【００５５】
また、同様に、第２の硬貨検出センサ１２４が第２の突き当て面１４４ａに突き当てられた状態で、第２の硬貨検出センサ１２４と基板１５４とが半田付け（固定）される。さらに、第２の硬貨検出センサ１２４が第２の突き当て面１４４ａに突き当てられた状態で、第２の硬貨検出センサ１２４の基板１５４が第２の基板取付面１４８に固定される。
【００５６】
上記のようにセンサが取り付けられた後、磁石Ｍ２が取り外され、第１の硬貨検出センサ１２２が取り付けられた第１のセンサ内蔵部１３３に、第２の硬貨検出センサ１２４が取り付けられた第２のセンサ内蔵部１３５が固定される。
【００５７】
図８は、上述のように製造された、本変形例に係る硬貨識別装置１００−２の構成を示す断面図である。図８に示すように、第１のセンサ内蔵部１３３に第２のセンサ内蔵部１３５が固定されると共に、搬送ベルト１０４が配置されている。また、図３、図４を参照して説明した硬貨識別装置１００と同様に、本変形例に係る硬貨識別装置１００−２においても、第１の硬貨検出センサ１２２及び第２の硬貨検出センサ１２４は、検出領域Ｓを挟んで互いに対向する。
【００５８】
なお、上記では、第１のセンサ内蔵部１３３に第２のセンサ内蔵部１３５が固定される例を説明したが第２のセンサ内蔵部１３５に第１のセンサ内蔵部１３３が固定されてもよい。
【００５９】
（変形例２)
上記では、図５等を参照して、磁石を用いたセンサの取り付け方法を説明したが、本発明は係る例に限定されない。例えば、突き当て面に接着剤を塗布して、センサをセンサ突き当て面に突き当ててもよい。また、押圧部材（例えばスポンジ、バネ等）を用いて、センサをセンサ突き当て面に突き当ててもよい。係る例について、図９を参照して説明を行う。
【００６０】
図９は、押圧部材を用いたセンサの取り付け方法を説明するための説明図である。図９に示す各構成のうち、図５に示した各構成と実質的に同様の構成については同一の符号を付してあるため、適宜省略しながら説明を行う。
【００６１】
図９に示す例では、第１の硬貨検出センサ１２２と、第１の硬貨検出センサ１２２の基板１５２との間に、押圧部材１６０が挿入されている。係る構成により、磁石を用いずとも、第１の硬貨検出センサ１２２を第１の突き当て面１４２ａに突き当てることが可能である。
【００６２】
なお、係る場合、押圧部材１６０は、第１の硬貨検出センサ１２２の取り付け後も、第１の硬貨検出センサ１２２と、第１の硬貨検出センサ１２２の基板１５２との間に、挿入されたままでよい。係る構成により、第１の硬貨検出センサ１２２の取り付け後に、第１の硬貨検出センサ１２２と第１のセンサ内蔵部１３２との位置関係が変化することを抑制することが可能となる。
【００６３】
＜＜４．むすび＞＞
以上説明したように、本発明の実施形態によれば、センサがより高精度に取り付けられることで、識別精度を向上させることが可能である。
【００６４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６５】
例えば、上記では、本発明の実施形態に係る硬貨識別装置が釣銭機に備えられる例を説明したが、本発明は係る例に限定されない。例えば、上述した硬貨識別装置は、自動取引装置等の他の現金処理装置に備えられてもよい。
【符号の説明】
【００６６】
１  釣銭機
３  硬貨釣銭機
１００  硬貨識別装置
１０２  搬送路
１０３  搬送面
１０４  搬送ベルト
１１２  ガイド部
１１３  ガイド面
１１４  規制部
１１５  規制面
１２２  第１の硬貨検出センサ
１２４  第２の硬貨検出センサ
１２５  配線
１３０  固定部
１３２，１３３  第１のセンサ内蔵部
１３４，１３５  第２のセンサ内蔵部
１４２  第１の凹部
１４２ａ  第１の突き当て面
１４４  第２の凹部
１４４ａ  第２の突き当て面
１４６  第１の基板取付面
１４８  第２の基板取付面
１５２、１５４  基板
１６０  押圧部材
【図１】
2018136779.tif 000003
【図２】
2018136779.tif 000004
【図３】
2018136779.tif 000005
【図４】
2018136779.tif 000006
【図５】
2018136779.tif 000007
【図６】
2018136779.tif 000008
【図７】
2018136779.tif 000009
【図８】
2018136779.tif 000010
【図９】
2018136779.tif 000011